(57)【要約】【課題】  少ない設備コストで、全体としての発電効率を良好なものとすることが出来、費用回収期間を短縮出来る太陽電池を設けた屋根構造を提供する。【解決手段】  南側の屋根面のうち、大屋根部１３の上側屋根部１３ａには、５列の太陽エネルギー変換機能を有する平面矩形状の太陽光発電パネル５…が、配置されている。  また、南側の屋根面のうち、中屋根部１４の下側屋根部１４ａには、４列の太陽エネルギー変換機能を有する平面矩形状の太陽光発電パネル５…が、配置されている。  そして、この下側屋根部１４ａでは、妻壁１５の下部１５ａに接する屋根面１４ｃに、この妻壁１５の下部１５ａとの境界線１６に沿って、１列のダミーモジュール１７…が、敷設されている。【選択図】図１
2005120750.tif 000002
【特許請求の範囲】
【請求項１】
棟違い屋根部の妻壁下部に接する下側屋根部を有し、少なくとも該下側屋根部に太陽電
池モジュールを敷設する太陽電池を設けた屋根構造であって、
前記下側屋根部の前記妻壁下部に接する屋根面に、該妻壁下部との境界線に沿って、ダ
ミーモジュールを敷設することを特徴とする太陽電池を設けた屋根構造。
【発明の詳細な説明】
【技術分野】
【０００１】
この発明は、屋根に太陽光発電パネルを取り付けて発電を行う太陽電池を設けた屋根構
造に関するものである。
【背景技術】
【０００２】
一般的に、建物に太陽光発電パネルは、他の目的に使用されることが少なく、最も他の
設備等の邪魔にならず、また、採光効率が良い場所として屋根部に設けられている。
【０００３】
例えば、図８に示すような寄棟形状の寄棟屋根部２を有する建物１が知られている（例
えば、特許文献１等参照）。
【０００４】
このような寄棟屋根部２では、屋根下がり方向３と鋭角を構成する傾斜辺２ａが、存在
する。
【０００５】
このため、この傾斜辺２ａに沿う部分では、略三角形形状の太陽エネルギー変換機能を
有さないダミーパネル４…が、太陽エネルギー変換機能を有する平面矩形状の太陽光発電
パネル５…と隣接されて、敷設されている。
【０００６】
このように構成された従来の太陽電池を設けた屋根構造では、前記ダミーパネル４…の
表面外観を、前記太陽光発電パネル５の表面外観と略同じとなるように構成することによ
り、外観品質を良好なものとして、寄棟屋根部２全体の統一感が得られる。
【特許文献１】特開平１０−１３１４４１号公報
【発明の開示】
【発明が解決しようとする課題】
【０００７】
近年、太陽電池を設けた屋根構造では、大出力化を図るため、屋根部の南側面の略全面
に太陽光発電パネル５…を設けて、設置面積を少しでも多くしようとすることが行われて
いる。
【０００８】
しかしながら、例えば、棟違い屋根部の妻壁下部に接する下側屋根部を有するようなも
のでは、一日のうち、日陰となる時間が長く、効率的な発電が出来ない。
【０００９】
このため、所望の発電量が得にくく、太陽光発電パネル等の太陽光発電システムを設置
する設備のコストを回収するための費用回収期間が長くなってしまうといった問題があっ
た。
【００１０】
また、太陽光発電パネルを複数有する太陽光発電システムでは、特定の太陽光発電パネ
ルの発電量が低下すると、太陽光発電システム全体の発電効率が低下する虞もあった。
【００１１】
そこで、この発明は、少ない設備コストで、全体としての発電効率を良好なものとする
ことが出来、費用回収期間を短縮出来る太陽電池を設けた屋根構造を提供することを目的
としている。
【課題を解決するための手段】
【００１２】
上記目的を達成するために、請求項１に記載された発明では、棟違い屋根部の妻壁下部
に接する下側屋根部を有し、少なくとも該下側屋根部に太陽電池モジュールを敷設する太
陽電池を設けた屋根構造であって、前記下側屋根部の前記妻壁下部に接する屋根面に、該
妻壁下部との境界線に沿って、ダミーモジュールを敷設する太陽電池を設けた屋根構造を
特徴としている。
【発明の効果】
【００１３】
このように構成された請求項１記載のものは、一日のうち、日陰となる時間が長い前記
下側屋根部の前記妻壁下部に接する屋根面に、前記ダミーモジュールが敷設されているの
で、この部分に、太陽エネルギー変換機能を有する太陽光発電パネルを敷設する場合に比
して、設置にかかるコストを減少させることができる。
【００１４】
この際、元々一日のうち、日陰となる時間が長く、効率的な発電が出来ない屋根面部分
にダミーモジュールが敷設されるので、全体としての発電量の減少幅は少なく、しかも、
特定の太陽光発電パネルの発電量が低下することがないので、太陽光発電システム全体の
発電効率が低下する虞もない。
【００１５】
従って、少ない設備コストで、全体としての発電効率を良好なものとすることが出来、
費用回収期間が短縮される。
【発明を実施するための最良の形態】
【００１６】
次に、図面に基づいて、この発明を実施するための最良の実施の形態の太陽電池を設け
た屋根構造を説明する。なお、前記従来例と同一乃至均等な部分については同一符号を付
して説明する。
【００１７】
図１乃至図７は、この発明の実施の形態１の太陽電池を設けた屋根構造を有する住宅１
０を説明するものである。
【００１８】
まず、構成を説明すると、この発明の実施の形態１に係る住宅１０は、建物本体を構成
する複数の建物ユニット１１…の上部に、屋根部としての棟違い形状の棟違い屋根部１２
が設けられている。
【００１９】
この棟違い屋根部１２は、主に、上側に位置する大屋根部１３と、下側に位置する中屋
根部１４とを有して構成されている。
【００２０】
そして、南側の屋根形状を、前記大屋根部１３の南側屋根面を構成する上側屋根部１３
ａ及び、この上側屋根部１３ａよりも一段低い位置に形成される前記中屋根部１４の南側
屋根面を構成する下側屋根部１４ａと、これらの上側屋根部１３ａ及び下側屋根部１４ａ
間に設けられて、鉛直方向に立設することにより連結する妻壁１５とから主に構成されて
いる。
【００２１】
また、北側の屋根形状は、前記大屋根部１３の北側屋根面を構成する流れ屋根部１３ｂ
と、前記中屋根部１４の北側屋根面を構成する流れ屋根部１４ｂとが略面一に設けられて
流れ方向を一致させるように設けられている。
【００２２】
そして、前記南側の屋根面のうち、前記大屋根部１３の上側屋根部１３ａには、５列の
太陽エネルギー変換機能を有する平面矩形状の太陽光発電パネル５…が、配置されている
。
【００２３】
また、前記南側の屋根面のうち、前記中屋根部１４の下側屋根部１４ａには、４列の太
陽エネルギー変換機能を有する平面矩形状の太陽光発電パネル５…が、配置されている。
【００２４】
そして、この下側屋根部１４ａでは、前記妻壁１５の下部１５ａに接する屋根面１４ｃ
に、この妻壁１５の下部１５ａの境界線１６に沿って、１列のダミーモジュール１７…が
、敷設されている。
【００２５】
更に、この実施の形態では、この下側屋根部１４ａの妻側縁部１４ｄに、前記ダミーモ
ジュール１７と構成を略同じとして、幅方向の寸法を相違させる１列のダミーモジュール
１８…が、敷設されている。
【００２６】
次に、図３乃至図７を用いて、これらのダミーモジュール１７…及び１８…の各々の構
成について説明する。
【００２７】
図３は、前記ダミーモジュール１７の躯体１７ａの構成を、図４は、前記ダミーモジュ
ール１８の躯体１８ａの構成を示している。図５乃至図７の構成については、前記ダミー
モジュール１７と、１８とが略同じであるので、前記ダミーモジュール１７の構成を説明
して、ダミーモジュール１８の構成の説明を省略する。
【００２８】
このうち、図３に示す前記ダミーモジュール１７の躯体１７ａは、主に、左，右一対の
長尺木桟１７ｂ，１７ｂ間に、複数の短尺木桟１７ｃ…が架け渡されて、日の字状に連結
されると共に、一枚の長方形形状の合板１７ｄの裏面側に、複数のビス１９…が用いられ
て、これらの長尺木桟１７ｂ，１７ｂ及び短尺木桟１７ｃ…が固定されて、略パネル状を
呈するように構成されている。
【００２９】
このダミーモジュール１７の躯体１７ａの幅方向寸法Ｗ１は、前記太陽光発電パネル５
の幅方向寸法よりもやや狭くなるように構成されると共に、長さ方向（屋根流れ方向）寸
法Ｌ１が前記太陽光発電パネル５の長さ方向寸法と同じ寸法となるように構成されている
。
【００３０】
また、図４に示す前記ダミーモジュール１８の躯体１８ａは、主に、左，右一対の長尺
木桟１８ｂ，１８ｂを、一枚の長方形形状の合板１８ｄの裏面側に、複数のビス１９…が
用いられて固定されることにより、略パネル状を呈するように構成されている。
【００３１】
このダミーモジュール１８の躯体１８ａの幅方向寸法Ｗ２は、前記太陽光発電パネル５
の幅方向寸法よりも狭くなるように構成されると共に、長さ方向（屋根流れ方向）寸法Ｌ
２が、前記太陽光発電パネル５の長さ方向寸法と同じ寸法となるように構成されている。
【００３２】
そして、これらのダミーモジュール１７の幅方向寸法Ｗ１とダミーモジュール１８の幅
方向寸法Ｗ２とを合わせると、１枚の前記太陽光発電パネル５の幅方向寸法と略一致する
ように構成されている。
【００３３】
また、前記合板１７ｄの上面側には、軒先側から一定の長さＬ３の領域を除いて、略全
面に、接着材２０が介在されて、表面鋼板部材２１が貼設される。
【００３４】
この表面鋼板部材２１は、断面略ハット状を呈していて、平板面部２１ａの左，右に一
対設けられたフランジ部２１ｃ，２１ｃに、立上片部２１ｄ，２１ｄが設けられて、前記
屋根面への取付部２１ｂ，２１ｂが形成されている。
【００３５】
また、この取付部２１ｂ，２１ｂには、図６に示すような断面略クランク状の縦フレー
ム部材２２，２２が、各々図７に示すように、複数のビス１９…によって固定されて、主
に構成されている。
【００３６】
そして、これらの取付部２１ｂ，２１ｂのフランジ部２１ｃ，２１ｃを前記下側屋根部
１４ａの屋根面１４ｃ等に固定して、棟違い屋根部１２の屋根面の所望の位置に固定でき
るように構成されている。
【００３７】
次に、この実施の形態の作用について説明する。
【００３８】
この実施の形態の太陽電池を設けた屋根構造では、図１又は、図２に示されるように、
一日のうち、日陰となる時間が長い前記下側屋根部１４ａの前記妻壁１５の下部１５ａに
接する屋根面１４ｃに、前記ダミーモジュール１７，１７が、前記境界線１６に沿って一
列に敷設されているので、この部分に、太陽エネルギー変換機能を有する太陽光発電パネ
ル５を敷設する場合に比して、設置にかかるコストを減少させることができる。
【００３９】
この際、元々一日のうち、日陰となる時間が長く、効率的な発電が出来ない屋根面１４
ｃ部分にダミーモジュール１７，１７が敷設されるので、全体としての発電量の減少幅は
少なく、しかも、特定の太陽光発電パネル５の発電量が低下することがないので、太陽光
発電システム全体の発電効率が低下する虞もない。
【００４０】
従って、少ない設備コストで、全体としての発電効率を良好なものとすることが出来、
費用回収期間が短縮される。
【００４１】
また、この実施の形態では、前記ダミーモジュール１７の幅方向寸法Ｗ１とダミーモジ
ュール１８の幅方向寸法Ｗ２とを合わせると、１枚の前記太陽光発電パネル５の幅方向寸
法と略一致するように構成されている。
【００４２】
このため、図２に示すように、５列の太陽エネルギー変換機能を有する平面矩形状の太
陽光発電パネル５…が敷設された前記大屋根部１３の上側屋根部１３ａと略同じ軒先長さ
を有する前記中屋根部１４の下側屋根部１４ａには、４列の太陽エネルギー変換機能を有
する平面矩形状の太陽光発電パネル５…に加えて、前記境界線１６に沿って敷設された１
列のダミーモジュール１７…と、下側屋根部１４ａの妻側縁部１４ｄに敷設されるダミー
モジュール１８…との一組で、略１列分の太陽光発電パネル５と略同じ幅を占有する。
【００４３】
このため、前記妻側縁部１４ｄに、太陽光発電パネル５又は、ダミーモジュール１８が
貼設されていない余剰部分が発生する虞が無い。
【００４４】
従って、更に、外観品質を向上させることができる。
【００４５】
以上、図面を参照して、本発明の実施の形態を詳述してきたが、具体的な構成は、この
実施の形態に限らず、本発明の要旨を逸脱しない程度の設計的変更は、本発明に含まれる
。
【００４６】
例えば、前記実施の形態では、前記幅方向寸法Ｗ１を有する１列のダミーモジュール１
７…を境界線１６に沿って敷設すると共に、幅方向寸法Ｗ２を有するダミーモジュール１
８…を前記下側屋根部１４ａの妻側縁部１４ｄに敷設しているが、特にこれに限らず、例
えば、ダミーモジュール１８…を境界線１６に沿って敷設すると共に、幅方向寸法Ｗ２を
有するダミーモジュール１７…を前記下側屋根部１４ａの妻側縁部１４ｄに敷設する等、
屋根部の形状や設置面積に合わせてどのように組み合わせて敷設してもよく、ダミーモジ
ュール１７，１８の形状、数量及び材質が、特に限定されるものではない。
【００４７】
また、屋根部の形状も、棟違い屋根部で、妻壁下部に接する下側屋根部を有しているも
のであるならば、１カ所に妻壁１５が存在する前記実施の形態の棟違い屋根部１２に限ら
ず、例えば、２以上の複数の妻壁１５…を有する複数棟違い屋根部等、どのような形状や
向きであってもよい。
【図面の簡単な説明】
【００４８】
【図１】この発明の実施の形態に係る太陽電池を設けた屋根構造で、要部の構成を説明する拡大斜視図である。
【図２】実施の形態に係る太陽電池を設けた屋根構造で、全体の構成を説明する住宅の斜視図である。
【図３】実施の形態に係る太陽電池を設けた屋根構造に用いられる幅狭のダミーモジュールの躯体の構成を説明する分解斜視図である。
【図４】実施の形態に係る太陽電池を設けた屋根構造に用いられる幅広のダミーモジュールの躯体の構成を説明する分解斜視図である。
【図５】実施の形態に係る太陽電池を設けた屋根構造に用いられるダミーモジュールの構成を説明する分解斜視図である。
【図６】実施の形態に係る太陽電池を設けた屋根構造に用いられるダミーモジュールの構成を説明し、縦フレーム部材を装着する様子を示す分解斜視図である。
【図７】実施の形態に係る太陽電池を設けた屋根構造に用いられるダミーモジュールの構成を説明し、縦フレーム部材が装着された様子を示す分解斜視図である。
【図８】従来例の太陽電池を設けた屋根構造で、寄せ棟形状屋根の一例を示す建物の分解斜視図である。
【符号の説明】
【００４９】
１                    太陽光発電パネル
１２                  棟違い屋根部
１３ａ                上側屋根部
１４ａ                下側屋根部
１４ｃ                屋根面
１５                  妻壁
１５ａ                下部
１６                  境界線
１７，１８            ダミーモジュール
【図１】
2005120750.tif 000003
【図２】
2005120750.tif 000004
【図３】
2005120750.tif 000005
【図４】
2005120750.tif 000006
【図５】
2005120750.tif 000007
【図６】
2005120750.tif 000008
【図７】
2005120750.tif 000009
【図８】
2005120750.tif 000010